(57)【要約】      （修正有）【課題】安全な、滅菌タイミングを設定可能なエレベータにおける滅菌装置を提供すること。【解決手段】紫外線ランプと、X1リレーとX2リレー２と、を備え、X1リレーの励磁コイルがエレベータ内の照明灯と並列的に接続され、X2リレー２の励磁コイルが照明灯を制御するためのLCMリレー５と並列的に接続され、紫外線ランプ、エレベータ内における制御電気回路に並列的に接続され、その一端がX1リレーの閉路接点と直列的に接続され、且つその他端がX2リレー２の開路接点と直列的に接続される。【選択図】図１Ａ
0003105415.tif 000002
【実用新案登録請求の範囲】
【請求項１】
エレベータ制御電気回路に対し、
励磁コイルがエレベータ内の照明灯と並列的に接続されるとともに、前記の照明灯をスイッチ・オンまたはスイッチ・オフすることを制御するためのLCMリレーの閉路接点と相互に直列的に接続されるX1リレーと、
励磁コイルがエレベータ内の照明灯をスイッチ・オンまたはスイッチ・オフすることを制御するためのLCMリレーと並列的に接続されるX2リレーと、
エレベータ制御電気回路に並列的に接続されるとともに、その一端がX1リレーの接点と直列的に接続され、且つその他端がX2リレーの開路接点と直列的に接続される紫外線ランプと、
を接続することによって、エレベータが持続的に作動を進む場合に、前記のLCMリレーとX2リレーとの励磁コイルが励磁されないように設定され、その閉路接点とその開路接点とがすべて正常な状態に保持され、照明灯が点灯され、また、X1リレーの励磁コイルが励磁される場合に、前記の紫外線ランプのある側に直列的に接続される閉路接点が開路接点になるようにジャンプをし、紫外線ランプがエレベータの作動状態下で紫外線を生成しなくなり、また、エレベータが所定の時間を経ても作動がしない場合では、前記のLCMリレーと前記のX2リレーの励磁コイルが励磁されるようになり、閉路接点を開路接点になるようにジャンプをし、且つ前記の開路接点が閉路接点になるようにジャンプをし、照明灯が消灯され、X1リレーの励磁コイルが励磁しなくなり、紫外線ランプのある側に直接的に接続されるX1リレーの閉路点に正常な状態へ復帰させ、また、X2リレーの開路接点が閉路接点になるようにスキップをし、電源が前記の紫外線ランプに流され、紫外線ランプが紫外線を出射して滅菌作業を実行するようにしたことを特徴とする、
エレベータにおける滅菌装置。
【請求項２】
エレベータ制御電気回路に対し、
励磁コイルとエレベータ内の照明灯と相互に並列的に接続されるとともに、照明灯のスイッチ・オンまたはスイッチ・オフを制御するLCMリレーの閉路接点とが相互に直列的に接続されるようにしたX1リレーと、
励磁コイルとエレベータにおける照明灯のスイッチ・オンまたはスイッチ・オフを制御するためのLCMリレーと並列的に接続されるようにしたX2リレーと、
エレベータ制御電気回路に並列的に接続され、その一端が前記のX1リレーの閉路接点と直列的に接続され、その他端がX2リレーの開路接点と直列的に接続される光触媒ランプと、
を接続することによって、エレベータが持続的に作動する場合に、前記のLCMリレーとX2リレーの励磁コイルには励磁を生じなくなり、閉路接点と開路接点とがすべて正常な状態に保持され、照明灯が点灯され、X1リレーの励磁コイルが励磁され、前記の光触媒ランプのある側に直列的に接続される閉路接点が開路接点となるようにジャンプをし、光触媒ランプがエレベータの作動中に光触媒光線を発光しなくなり、また、エレベータが所定の期間を経ても作動はぜんぜんしない場合では、前記のLCMリレーとX2リレーの励磁コイルが励磁され、その閉路接点が開路接点となるようにジャンプをし、且つ開路接点が閉路接点となるようにジャンプをし、照明灯が消灯され、X1リレーの励磁コイルには励磁を生じなくなり、前記の光触媒ランプのある側に直列的に接続されるX1リレーの閉路接点が正常な状態に復帰され、また、X2リレーの開路接点が閉路接点となるようにジャンプをし、電源が前記の紫外線ランプに対し給電を実行することによって前記の光触媒ランプに光触媒光線を発光させることによって滅菌の仕事を進めるようにすることを特徴とする、
エレベータにおける滅菌装置。
【請求項３】
前記X2リレーと前記LCMリレーとが並列的に接続されていて、エレベータの異常による停電時、またはLCMリレーの誤作動時に、紫外線ランプが紫外線を発光することを防止可能に構成したことを特徴とする、
請求項１に記載のエレベータにおける滅菌装置。
【請求項４】
前記X2リレーと前記LCMリレーとが並列的に接続されていて、エレベータの異常による停電時、またはLCMリレーの誤作動時に、光触媒ランプが光触媒光線を発光することを防止可能に構成したことを特徴とする、
請求項２に記載のエレベータにおける滅菌装置。
【考案の詳細な説明】
【技術分野】
【０００１】
本考案は、エレベータにおける滅菌装置に係わり、特にエレベータには人間が搭載されない場合に、紫外線や光触媒光線などによってエレベータ内に対し滅菌を実行することができるエレベータにおける滅菌装置に関するものである。
【背景技術】
【０００２】
ビルやマンションなどがそれぞれ林立している現代においては、人間が上層階へ上がったり下層階へ降りたりする場合に、大体エレベータに乗って移動する方式が採用されている。このような方式を採用する場合では、人々の歩行時間を短縮できることの他に、体力の消耗を減少できる。
高層階や低層階へ行くための搭載用ツールであるエレベータは依然としてつぎのような課題を有している。エレベータは一度の多数の人々を搭乗できるが、エレベータ内は密閉空間に属し、それぞれの搭乗者の中には、病原菌を付着させた人もおり、このような場合はそれらの病原菌がエレベータのあちこちへ伝播して、他の搭乗者へ感染して体調を悪くして病気になる恐れがある。特に病院のエレベータは、このような事態が頻繁に生じる危険性がある。
【０００３】
前記の説明から分かるように、従来のエレベータは依然として多くの課題を有し、優れる設計ではなく、改善する必要がある。そのため、本考案の考案者は、前記の従来のエレベータの内包する課題に鑑みて改良創作を進め、本考案のエレベータにおける滅菌装置を完成した。
【考案の開示】
【考案が解決しようとする課題】
【０００４】
本考案は、紫外線ランプや光触媒ランプなどによって、エレベータの内部の滅菌を実行することにより、人体に有害な病原菌がエレベータ内で伝播することを防止可能なエレベータにおける滅菌装置を提供することをその主要な解決しようとする課題とする。
【０００５】
また、本考案は、エレベータには搭乗者がいない場合だけに、エレベータの内部の滅菌を実行することによって、搭乗者が直接に紫外線に暴露されることを防止することにより搭乗の安全性の確保を図る、エレベータにおける滅菌装置を提供することをその第二の解決しようとする課題とする。
【課題を解決するための手段】
【０００６】
前記した目的を達成するために、本考案によるエレベータにおける滅菌装置には、紫外線ランプまたは光触媒ランプと、X1リレーとX2リレーと、を備え、その中では、前記のX1リレーの励磁コイルが現有のエレベータ内の照明灯と並列的に接続され、また、X2リレーの励磁コイルが照明灯のスイッチ・オンまたはスイッチ・オフを制御するためのLCMリレーと並列的に接続され、前記の紫外線ランプまたは前記の光触媒ランプが、エレベータ内における現有の制御電気回路に並列的に接続され、その一端がX1リレーの閉路接点と直列的に接続され、且つその他端がX2リレーの開路接点と直列的に接続される。
【０００７】
エレベータに持続的に搭乗者が絶えずに出入りするときは、前記のX1リレーの励磁コイルが励磁状態に処され、その閉路接点が開路接点となるようにジャンプすることがあり、紫外線ランプまたは光触媒ランプが紫外線または光触媒光線を生成しなくなり、それらの搭乗する使用者が紫外線または光触媒光線に暴露されることを避けられる機能を発揮できる。
【０００８】
もし、エレベータが所定の時間停留して搭載する人々がいない場合に、前記のLCMリレーの励磁コイルが励磁を生じ、且つエレベータ内の照明灯が消灯され、X1リレーの閉路接点が元来の状態に復帰し、また、X2リレーの励磁コイルが同時に励磁され、その開路接点が閉路接点となるようにジャンプをし、電源が紫外線ランプまたは光触媒ランプを流し、そのため、紫外線ランプまたは光触媒ランプが紫外線または光触媒光線を生成できるので、エレベータの内部に対し滅菌を実行することができるようになっている。
【考案の効果】
【０００９】
本考案によるエレベータにおける滅菌装置は、少なくとも下記のような優れた効果を有する。
（１）本考案は、紫外線ランプや光触媒ランプなどによってエレベータの内部に対し滅菌作業を実行するので、人体に有害の病原菌がエレベータ内で人体に伝播することを防止でき、人体の健康に危害を及ぼすことことを回避できる。
（２）本考案は、エレベータ内に乗員がいないときだけに、エレベータの内部に対し滅菌を行い、乗員が直接に紫外線または光触媒光線に暴露されることを効果的に防止でき、人体の皮膚疾病にかかることを効果的に防止できる。
【考案を実施するための最良の形態】
【００１０】
図１A,１Bに示すように、本考案の提供するエレベータにおける滅菌装置は、主に、エレベータ電気回路に対し、X1リレー１を接続し、そのX1リレー１の励磁コイルがエレベータ内の照明灯４と並列的に接続し、且つその一端がL2電源コード６と直列的に接続され、その他端が照明灯のスイッチ・オンまたはスイッチ・オフを制御するためのLCMリレー５の閉路接点５１と接続しあう。
【００１１】
また、X2リレーを接続し、そのX2リレー２の励磁コイルが照明灯のスイッチ・オンまたはスイッチ・オフを制御するためのLCMリレー５と並列的に接続される。
【００１２】
また、紫外線ランプ３または光触媒ランプを接続し、その紫外線ランプ３または光触媒ランプがエレベータ制御電気回路に並列的に接続され、その一端がX1リレー１の閉路接点１１と直列的に接続され、その閉路接点１１とL1電源コード７とが接続し合い、また、紫外線ランプ３または光触媒ランプの他端がX2リレー２の開路接点２１と直列的に接続され、その開路接点２１とL2電源コード６とが接続し合っている。
【００１３】
もし、エレベータにおけるボタン８がある人に押された場合に、その電源がLCMリレー５とX2リレー２の励磁コイルに流されることはなく、LCMリレー５とX2リレー２の励磁コイルには励磁されることはないので、開路と閉路の接点５１，２１がノーマルな状態を保持し、エレベータの照明灯４が点灯され、X1リレー１の励磁コイルが励磁され、X1リレー１の閉路接点１１が開路接点となるようにジャンプをする。そのため、電源が紫外線ランプ３または光触媒ランプへ流されなくなり、紫外線ランプ３または光触媒ランプが紫外線または光触媒光線を発光しなくなり、搭乗する人々が直接に紫外線または光触媒光線の中に暴露されることをなくすことができる。
【００１４】
もし、そのエレベータのボタン８が所定の時間を経ても、押す人がいない場合には、そのエレベータには使用者がいないと認められ、電源がLCMリレー５とX2リレー２へ流され、LCMリレー５とX2リレー２の励磁コイルが励磁され、LCMリレー５の閉路接点５１が開路になるようにジャンプをし、また、X2リレー２の開路接点２１が閉路接点となるようにジャンプをし、電源がエレベータ照明灯４とX1リレー１の励磁コイルに流されなくなり、照明灯４が消灯され、X1リレー１の閉路接点１１が元来の状態に復帰され、電源が紫外線ランプ３または光触媒ランプへ流される。そのため、紫外線ランプ３が紫外線を生じ、または光触媒ランプが光触媒光線を生じて、エレベータの内部に対し滅菌操作を実行するようになっている。
【００１５】
また、X2リレー２の励磁コイルがLCMリレー５と並列的に接続されるため、LCMリレー５が誤り作動またはエレベータに異常が生じて停電する場合に、前記のX2リレー２の励磁コイルが励磁を生じなく、その紫外線ランプ３または光触媒ランプのある側に直列的に接続される開路接点２１が依然として正常な状態を保持させ、紫外線ランプ３または光触媒ランプがLCMリレー５の誤り作動またはエレベータが異常して停電する場合に、紫外線ランプや光触媒ランプに影響を与えることはないので、安全に滅菌する目的を達成できる。
【００１６】
前記の説明は、本考案の実施例を具体的に説明するものであって、実施例は本考案の主張範囲を狭義的に限定するものではない。例えば、エレベータ内部には紫外線ランプまたは光触媒ランプの何れか一方のランプを設置してもよく、または両方のランプを取り付けてもよい。
【図面の簡単な説明】
【００１７】
【図１Ａ】本考案のエレベータにおける滅菌装置の電気回路を示す電気回路図である。
【図１Ｂ】本考案のエレベータにおける滅菌装置の電気回路を示す電気回路図である。
【符号の説明】
【００１８】
１        X1リレー
２        X2リレー
３        紫外線ランプ
４        照明灯
５        LCMリレー
６        L2電源コード
７        L1電源コード
８        ボタン
１１      閉路接点
２１      開路接点
５１      閉路接点
【図１Ａ】
0003105415.tif 000003
【図１Ｂ】
0003105415.tif 000004